(57)【要約】【課題】  短時間で１日の運勢などを簡便に占うことができ、携行に便利で毎日のスケジュールやその日の感想を記入すると共に運気を高める、手帳を提供する。【解決手段】  手帳１の日付ブロック２を設けたページに月表示４、方位盤５、ヒーリングメッセージ欄７が設けられると共に各ブロック２の下方には九分割された表８内に、今日の運勢表９に対応する数字１０が表示され、十干・十二支１１、九星１２、六曜１３、二十八宿・十二直１４が表示され、他のページにおいて、手帳１の具体的な使用方法、方位盤５、九分割表８などの見方や個々の吉方位と凶方位を示し、かつ十干・十二支１１、九星１２、六曜１３、および二十八宿・十二直１４などの使い方を示している。【選択図】図２
2005199681.tif 000002
【特許請求の範囲】
【請求項１】
見開き月間または週間ブロックタイプの小型スケジュール手帳であって、
日付毎のスケジュール記入用のブロックを設けた見開きページの余白部には、月表示のほか、月毎の方位盤、ヒーリングメッセージ欄、前月および来月のカレンダーなどが表示され、
前記日付毎のブロック内には数字、文字などからなる、少なくとも複数の易占い情報が記載され、
月表示、日付毎のブロックのないページにおいては、少なくとも前記方位盤および複数の占い情報などに関する詳細な説明、解説および使用方法、吉方位、運勢表、占い師紹介欄などのいずれかが記載されていることを特徴とする、易占い付スケジュール手帳。
【請求項２】
前記請求項１における複数の占い情報が、今日の運勢、十干・十二支、九星、六曜、二十八宿、十二直および月の満ち欠けなどであることを特徴とする、易占い付スケジュール手帳。
【請求項３】
前記ヒーリングメッセージ欄には、ものごとの考え方、日常生活における行動などについてのアドバイス、決断、心の癒しとなる文言などが記載されていることを特徴とする、易占い付スケジュール手帳。
【発明の詳細な説明】
【技術分野】
【０００１】  本発明は、スーツなどの内ポケットに収納される小型かつ薄厚な易占い付スケジュール手帳に係り、特には、霊験あらたかな占い師の監修に基づいて作成される、個々に携行する見開き１ヶ月、１週間または２週間ブロックタイプの易占い付スケジュール手帳に関する。
【背景技術】
【０００２】  日本人は、従前より信仰心のない無宗教国民と言われている。神道の慣習である年頭の初詣に始まり、雛、端午の節句、春秋の彼岸会、盆供養、七五三の祝いがあり、年末近くにはキリスト教の行事であるクリスマスを祝う。【０００３】  また、人生の主な節目においても、誕生約１ヶ月後には近隣の神社にお宮参りをし、結婚式は、教会又は神社仏閣で挙式し、葬式は仏式で行うというパターンが定着化しつつある。これをもって、日本人を無宗教国民と断定するのは一面的すぎる。【０００４】  反面、上記の宗教的行事、慣習に多くの国民が参集することから判断すると、特定の信仰を持たない多宗教国民と呼ぶのが相当であり、激動かつ不安定な現代生活にあって、判然としないが、いずれかの神仏の加護のもとに日々の生活を安穏に過ごしたいという、日本人の本質的な心があると思われる。近年、各種の易、占いがブームとなっているのはその証左であろう。【０００５】  従来の算木や筮竹占いなどに代表される易占いは、一般人には判別が困難であるばかりか、好評な易者には長時間の待ちと多額の費用を要している。また図１２に示すような旧来から頒布されている運勢暦は、大判であるために携行に不便でかつ、見難いうえに、若年層特に女性には不人気であるという欠点がある。【０００６】  占い付き手帖としては、特開平８−２５８４３が開示されている。この発明は、サイコロの出目に応じた答えの番号を示す早見表を付した枚葉と、この早見表の答えの番号に応じた占いの答えを示す運勢表示を付した枚葉を有し、枚葉ブロックを貫いて欠き込み部を設け、この欠き込み部にホルダーを介してサイコロを保有させる構成としている。
【特許文献１】特開平８−２５８４３号公報
【発明の開示】
【発明が解決しようとする課題】
【０００７】  しかしながら上記、特許文献１は、ホルダーを介してサイコロを保有させてなるから、運勢占いをするときは、そのつどホルダーの蓋を開けてサイコロを取り出すので面倒でありまた、机などの平面板上でしかサイコロがふれないという不便さがありかつ、サイコロが多面体であるために、机上などから転落し易く、紛失の虞が十分にある。サイコロがなければその占い付き手帖は全く用をなさない。【０００８】  本発明は、上記、従来技術の諸問題に鑑み、安価な費用と短時間で１日の運勢や吉方位などが簡便に占うことができ、携行に便利で毎日のスケジュールやその日の感想を記入すると共に運気を高める、易占い付スケジュール手帳を提供することを目的としている。
【課題を解決するための手段】
【０００９】  請求項１に係る、易占い付スケジュール手帳は、見開き月間または週間ブロックタイプの小型かつ薄厚なスケジュール手帳であって、日付毎のスケジュール記入用のブロックを設けた見開きページの余白部には、月表示のほか、月毎の方位盤、ヒーリングメッセージ欄、前月および来月のカレンダーなどが表示され、前記日付毎のブロック内には数字、文字などからなる、少なくとも複数の易占い情報が記載され、月表示、日付毎のブロックのないページにおいては、少なくとも前記方位盤および複数の占い情報などに関する詳細な説明、解説および使用方法、吉方位、運勢表、占い師紹介欄などのいずれかが記載されていることを特徴としている。【００１０】  請求項２は、請求項１記載の易占い付スケジュール手帳において、複数の占い情報が、今日の運勢、十干・十二支、九星、六曜、二十八宿、十二直および月の満ち欠けなどであることを特徴としている。【００１１】  請求項３は、請求項１及び請求項２記載の易占い付スケジュール手帳において、前記ヒーリングメッセージ欄には、ものごとの考え方、日常生活における行動などについてのアドバイス、決断、心の癒しとなる文言などが記載されていることを特徴としている。
【発明の効果】
【００１２】  本発明に係る、易占い付スケジュール手帳は、上記の構成になるから以下の効果を奏する。即ち、請求項１の発明によれば、小型かつ薄厚な手帳であるから携行と使用に利便性があり、月毎の方位盤により、当該月における自己の吉方位と凶方位を確認することができ、見開き１ヶ月、１週間または２週間ブロックタイプであるから、記入済みのスケジュール確認と同時に１日の感想、決意などを記入することにより、運気を高めることができさらに、記載された数字、文字などによりその日の運勢や占いが簡便にできまた、各種の占い情報などについて詳細な説明、解説および運勢表、占い師紹介欄などが記載されているので、占いの内容について容易に理解することが可能で、もし迷ったり、不安があるときは、希望の占い師を紹介欄で検索できる。【００１３】  請求項２の発明によれば、今日の運勢、十干・十二支、九星、六曜、二十八宿、十二直および月の満ち欠けなど複数の占い情報が、１ブロック毎に記載されているので、好みの占いを自由に選択できる。【００１４】  請求項３の発明によれば、ヒーリングメッセージ欄に記載された文言などにより、日常生活における迷い、不安などの解消のヒントや心の癒しとなる。
【発明を実施するための最良の形態】
【００１５】  以下、本発明に係る、易占い付スケジュール手帳（以下、手帳１という）の好適な実施形態について図面を参照しながら説明する。図１は、１ヶ月手帳１の日付ブロック２を見開き状態とした平面図で、図２は図１の一部拡大平面図、図３はその使用方法を示す見開き状態の平面図、図４は、年間カレンダーと九星早見表３と見開き状態の一部切欠平面図、図５は、九星別運勢およびその診断結果一覧などの見開き状態の一部切欠平面図、図６は、十二支、十二直および六曜の解説ページの平面図、図７は、二十八宿の一覧ページの平面図、図８は、今日の運勢表の一部を示す見開き状態の平面図、図９は、占い師の紹介ページの一部切欠平面図、図１０は第２の実施例を示す平面図、図１１は第３の実施例を示す平面図、図１２は、従来の運勢暦の１ページの一部平面図である。【００１６】  図１および図２に示すように、手帳１は左ページに月表示４の下方に方位盤５をまた、そのページ最下部には前月および来月のカレンダー６を表示し、それらの右側にヨコ３列タテ５列の日付ブロック（スケジュールなどの記入欄）２が計１５個設けられ、右ページには、ヨコ４列タテ５列の日付ブロック２が計２０個設けられ、その最下部にはヒーリングメッセージ欄７が設けられ、ものの考え方、日常生活ついてのアドバイス、決断、心の癒しとなる文言などが白抜き文字で記載されている。【００１７】  各ブロック２内の下方には九分割された表８内に、図８の今日の運勢表９に対応する数字１０が表示され、その右側には上から十干・十二支１１、九星１２、六曜１３、二十八宿・十二直１４が表示されている。また日付ブロック２内の４〜５ヶ所に月の満ち欠けを示す満月１５、下弦１６、新月１７および上弦１８が表示されている。【００１８】  図３は手帳１の具体的な使用方法を示すもので、方位盤５、九分割表８の見方や自己の九星から見た吉方位と凶方位を示し、かつ十干・十二支１１、九星１２、六曜１３、および二十八宿・十二直１４などの使い方を示している。【００１９】  図４は、年間カレンダーと九星早見表３を示し、九星早見表３は、手帳１の保有者または占う人の生年から当該の九星を検索するためのもので、例えば手帳１の保有者が、昭和４７年生まれとすると、その九星は、一白水星とされ、あるいは、昭和５４年生まれとすると三碧木星となる。【００２０】  図５の左ページには、方位盤５、吉方位１９および運勢表２０などを表示した九星別運勢２１が掲載されている。その右ページは、診断結果の一覧表２２で、これは九星別運勢２１の運勢表２０で検索された数字の診断結果を読み取るためのもので、例えば昭和４７年１月生まれ一白水星の該当数字２３は１となり、一覧表２２の１．でその内容や金銭運、異性運を確認するもので、１．〜６．まで記載され、次ページから７．〜３０．までが順次連載されている。【００２１】  図６の左ページは、十二支１１の解説欄で、御縁日、御守本尊と共にその干支の性格などが分析、解説されており、右ページには十二直１４および六曜（六輝）１３の占いが掲載されている。図７の左右のページには、二十八宿１４’についての占い内容が掲載されている。図８は今日の運勢表９で、コメント欄９ａとラッキーワード欄９���があり、コメント欄９ａには図１および図２のブロック２内の九分割された表８内の数字１０についての占い内容・生活指針が記載され、ラッキーワード欄９ｂには幸運を呼ぶ場所、食物または各種の事物が掲載され、数字１０は、次ページから１〜１４０の項目が順次連載されている。図９は占い師の紹介欄で、氏名、易占いのジャンルおよび易占いについての考え方などを披瀝している。【００２２】  図１０は、本発明に係る手帳１’におけるの第２の実施態様を示し、見開き１週間ブロックタイプのもので、日付けブロック２が中心線Ｃを境にしてそれぞれ左右にタテ４列、合計８個のブロック２が設けられ、左ページの最上部のブロック２内に月表示４、方位盤５およびカレンダー６が掲載されている。各日付けブロック２内には九分割表８が設けられ、各枠内には九星に対応する数字１０が記入され、九分割表８の右側には十干・十二支１１、九星１２、六曜１３および二十八宿・十二直１４が記載されている。また日付ブロック２内の該当日付けには、月の満ち欠けを示す満月１５などが記載され、ページ最下部にはヒーリングメッセージ欄７が設けられている。また日付けブロック２がない他のページには、１ヶ月手帳１と同様に図３〜図９までに記載されている使用方法、九星早見表３、運勢表２０、診断結果２２、今日の運勢表９などの内容が順次掲載されている。【００２３】  図１１は、本発明に係る手帳１’’におけるの第３の実施態様を示し、見開き２週間ブロックタイプのもので、日付けブロック２が中心線Ｃを境にしてそれぞれ左右にタテ４列、ヨコ２列、合計１６個のブロック２が設けられ、左ページの最上部の左ブロック２内に月表示４と方位盤５が掲載され、各日付けブロック２内には九分割表８が設けられ、各枠内には九星に対応する数字１０が記入され、九分割表８の右側には十干・十二支１１、九星１２、六曜１３、および二十八宿・十二直１４が記載されている。また日付ブロック２内の該当日付けには、月の満ち欠けを示す満月１５、下弦１６などが記載され、ページ最下部にはヒーリングメッセージ欄７が設けられている。また右ページの最上部の左ブロック２内には月表示４、前月と来月のカレンダー６が掲載されている。また日付けブロック２がない他のページには、１ヶ月手帳１と同様に図３〜図９までに記載されている使用方法、九星早見表３、運勢表２０、診断結果２２、今日の運勢表９などの内容が順次掲載されている。
【産業上の利用可能性】
【００２４】  本発明に係る手帳１は、小型かつ薄厚な手帳であるから携行と使用に利便性があり、月毎の方位盤により、当該月における自己の吉方位と凶方位を確認することができ、見開き１ヶ月、１週間または２週間ブロックタイプであるから、記入済みのスケジュール確認と同時に１日の感想、決意などを記入することにより、運気を高めることができさらに、記載された数字、文字などによりその日の運勢や占いが簡便にできまた、各種の占い情報などについて詳細な説明、解説および運勢表、占い師紹介欄などが記載されているので、占いの内容について容易に理解することが可能で、もし迷ったり、不安があるときは、希望の占い師を紹介欄で検索できるもので、易占いに興味を有する、サラリーマン、ＯＬ、女子高生、大学生はもちろん熟年者、高齢者が常時携帯するスケジュール帳として活用される。
【図面の簡単な説明】
【００２５】
【図１】本発明に係る、１ヶ月手帳の日付ブロックを見開き状態とした平面図である。
【図２】同図１の一部拡大平面図である。
【図３】同使用方法を示す見開き状態の平面図である。
【図４】同年間カレンダーと九星早見表の見開き状態の一部切欠平面図である。
【図５】同九星別運勢およびその診断結果一覧などの見開き状態の一部切欠平面図である。
【図６】同十二支、十二直および六曜の解説ページの平面図である。
【図７】同二十八宿の一覧ページの平面図である。
【図８】同今日の運勢表の一部を示す見開き状態の平面図である。
【図９】同占い師の紹介ページの一部切欠平面図である。
【図１０】第２の実施例を示す平面図である。
【図１１】第３の実施例を示す平面図である。
【図１２】従来の運勢暦の１ページの一部平面図である。
【符号の説明】
【００２６】１                手帳
２                日付ブロック
３                九星早見表
４                月表示
５                方位盤
６                カレンダー
７                ヒーリングメッセージ欄
８                九分割表
１０              数字
１１              十干・十二支
１２              九星
１３              六曜（六輝）
１４              二十八宿・十二直
１９              吉方位
２０              運勢表
２１              九星別運勢
２２              一覧表
【図１】
2005199681.tif 000003
【図２】
2005199681.tif 000004
【図３】
2005199681.tif 000005
【図４】
2005199681.tif 000006
【図５】
2005199681.tif 000007
【図６】
2005199681.tif 000008
【図７】
2005199681.tif 000009
【図８】
2005199681.tif 000010
【図９】
2005199681.tif 000011
【図１０】
2005199681.tif 000012
【図１１】
2005199681.tif 000013
【図１２】
2005199681.tif 000014